(57)【要約】【課題】電波通信による不都合を解消する通信システムと通信方法を提供する。  【解決手段】トランシーバ２ｂの受信部２２では、アクセススポットＡＳｂとユーザＵｂの人体とを介して送受信用電極２３に印加された電圧の波形に応じた電界を電気光学結晶２２２に印加し、光源２２１が光を電気光学結晶２２２に入射し、偏光板２２３が電気光学結晶２２２からの光、つまり偏光変調光を強度変調光に変換し、受光部２２４がその強度変調光の強度の波形を呼び出し要求として検出し、この呼び出し要求を端末１ｂに送信する。これにより、端末１ｂが呼び出し音を鳴動させる。【選択図】図２
2006191361.tif 000002
【特許請求の範囲】
【請求項１】
端末からの他の端末の呼び出し要求を受信し、この呼び出し要求に応じた波形の電圧を電極を介して人体に印加するトランシーバと、
前記人体を介して前記呼び出し要求に応じた波形の電圧が印加されるアクセススポットと、
このアクセススポットに印加された電圧により前記呼び出し要求を取得する交換機が出力した呼び出し信号に応じた波形の電圧が印加される他のアクセススポットと、
この他のアクセススポットと他の人体とを介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記呼び出し信号として検出し、この検出した呼び出し信号を前記他の端末に送信するトランシーバと
を備えたことを特徴とする通信システム。
【請求項２】
前記呼び出し要求に応じた波形の電圧が印加される前記アクセススポットに印加された電圧の波形に応じた電界を電気光学結晶に印加し、この電気光学結晶で光源からの光の偏光状態を変調し、この偏光変調光を強度変調光に変換し、この強度変調光の強度を前記呼び出し要求として検出し、この検出した呼び出し要求を前記交換機に送信するトランシーバ  を備えたことを特徴とする請求項１記載の通信システム。
【請求項３】
端末からの他の端末の呼び出し要求により交換機が出力した呼び出し信号に応じた波形の電圧が印加されるアクセススポットと、
このアクセススポットと人体とを介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記呼び出し信号として検出し、この検出した呼び出し信号を前記他の端末に送信するトランシーバと
を備えたことを特徴とする通信システム。
【請求項４】
呼び出し信号を送信された前記他の端末からの音声信号に応じた波形の電圧が前記アクセススポットに印加されたときの当該電圧の波形に応じた電界を電気光学結晶に印加し、この電気光学結晶で光源からの光の偏光状態を変調し、この偏光変調光を強度変調光に変換し、この強度変調光の強度の波形を当該音声信号として検出し、この検出した音声信号を前記交換機に送信するトランシーバ
を備えたことを特徴とする請求項３記載の通信システム。
【請求項５】
コンピュータからの他のコンピュータのアドレスを含むパケットを受信し、このパケットに応じた波形の電圧を電極を介して人体に印加するトランシーバと、
前記人体を介して前記パケットに応じた波形の電圧が印加されるアクセススポットと、  このアクセススポットと他の人体を介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記パケットとして検出し、この検出したパケットを前記他のコンピュータに送信するトランシーバと
を備えたことを特徴とする通信システム。
【請求項６】
コンピュータからの他のコンピュータのアドレスを含むパケットを受信し、このパケットに応じた波形の電圧を電極を介して人体に印加するトランシーバと、
前記人体を介して前記パケットに応じた波形の電圧が印加されるアクセススポットと、  このアクセススポットに信号線で接続された他のアクセススポットと、
この他のアクセススポットと他の人体を介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記パケットとして検出し、この検出したパケットを前記他のコンピュータに送信するトランシーバと
を備えたことを特徴とする通信システム。
【請求項７】
コンピュータからの他のコンピュータのアドレスを含むパケットを受信したルータが中継した当該パケットに応じた波形の電圧が印加されるアクセススポットと、
このアクセススポットと人体を介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記パケットとして検出し、この検出したパケットを前記他のコンピュータに送信するトランシーバと
を備えたことを特徴とする通信システム。
【請求項８】
パケットを送信された前記他のコンピュータからのパケットに応じた波形の電圧が前記アクセススポットに印加されたときの当該電圧の波形に応じた電界を電気光学結晶に印加し、この電気光学結晶で光源からの光の偏光状態を変調し、この偏光変調光を強度変調光に変換し、この強度変調光の強度の波形を当該パケットとして検出し、この検出したパケットを前記ルータに送信するトランシーバ
を備えたことを特徴とする請求項７記載の通信システム。
【請求項９】
端末からの他の端末の呼び出し要求を受信し、この呼び出し要求に応じた波形の電圧を電極を介して人体に印加し、
前記人体を介して前記呼び出し要求に応じた波形の電圧がアクセススポットに印加され、このアクセススポットに印加された電圧により前記呼び出し要求を取得する交換機が出力した呼び出し信号に応じた波形の電圧が他のアクセススポットに印加されたときに、
この他のアクセススポットと他の人体とを介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記呼び出し信号として検出し、この検出した呼び出し信号を前記他の端末に送信する
ことを特徴とする通信方法。
【請求項１０】
前記呼び出し要求に応じた波形の電圧が印加される前記アクセススポットに印加された電圧の波形に応じた電界を電気光学結晶に印加し、この電気光学結晶で光源からの光の偏光状態を変調し、この偏光変調光を強度変調光に変換し、この強度変調光の強度を前記呼び出し要求として検出し、この検出した呼び出し要求を前記交換機に送信する
ことを特徴とする請求項９記載の通信方法。
【請求項１１】
端末からの他の端末の呼び出し要求により交換機が出力した呼び出し信号に応じた波形の電圧がアクセススポットに印加されたときに、
このアクセススポットと人体とを介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記呼び出し信号として検出し、この検出した呼び出し信号を前記他の端末に送信する
ことを特徴とする通信方法。
【請求項１２】
呼び出し信号を送信された前記他の端末からの音声信号に応じた波形の電圧が前記アクセススポットに印加されたときの当該電圧の波形に応じた電界を電気光学結晶に印加し、この電気光学結晶で光源からの光の偏光状態を変調し、この偏光変調光を強度変調光に変換し、この強度変調光の強度の波形を当該音声信号として検出し、この検出した音声信号を前記交換機に送信する
ことを特徴とする請求項１１記載の通信方法。
【請求項１３】
コンピュータからの他のコンピュータのアドレスを含むパケットを受信し、このパケットに応じた波形の電圧を電極を介して人体に印加し、
前記人体を介して前記パケットに応じた波形の電圧がアクセススポットに印加されたときに、
このアクセススポットと他の人体を介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記パケットとして検出し、この検出したパケットを前記他のコンピュータに送信する
ことを特徴とする通信方法。
【請求項１４】
コンピュータからの他のコンピュータのアドレスを含むパケットを受信し、このパケットに応じた波形の電圧を電極を介して人体に印加し、
前記人体を介して前記パケットに応じた波形の電圧がアクセススポットに印加されたときに、
このアクセススポットに信号線で接続された他のアクセススポットと他の人体を介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記パケットとして検出し、この検出したパケットを前記他のコンピュータに送信する
ことを特徴とする通信方法。
【請求項１５】
コンピュータからの他のコンピュータのアドレスを含むパケットを受信したルータが中継した当該パケットに応じた波形の電圧がアクセススポットに印加されたときに、
このアクセススポットと人体を介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記パケットとして検出し、この検出したパケットを前記他のコンピュータに送信する
ことを特徴とする通信方法。
【請求項１６】
パケットを送信された前記他のコンピュータからのパケットに応じた波形の電圧が前記アクセススポットに印加されたときの当該電圧の波形に応じた電界を電気光学結晶に印加し、この電気光学結晶で光源からの光の偏光状態を変調し、この偏光変調光を強度変調光に変換し、この強度変調光の強度の波形を当該パケットとして検出し、この検出したパケットを前記ルータに送信する
ことを特徴とする請求項１５記載の通信方法。
【発明の詳細な説明】
【技術分野】
【０００１】
本発明は、電波通信による不都合を解消する通信システムと通信方法に関するものである。
【背景技術】
【０００２】
近年では、いわゆる携帯電話端末や携帯情報端末が普及し、これにより、生活における利便性が大きく向上している。このような端末を携帯することで、多くの場所で通話あるいは情報伝達を行うことが可能となる。
【特許文献１】特許３０７４９６４号公報
【発明の開示】
【発明が解決しようとする課題】
【０００３】
このように、携帯電話端末等が多大なる利便性をもたらす反面、それから放射される電波による不都合が生じる。例えば、病院や航空機で携帯電話端末等が使用されると、その電波で周囲の精密機器が誤動作する可能性がある。
【０００４】
また、電波は共有のものであるから、周波数を自由に使うことができず、そのため、大幅な通信速度の向上を望めない。
【０００５】
また、電波の到達距離を伸ばすには、高度なアンテナ設計が必要となり、基地局のアンテナにも多大な設備投資がかかる。
【０００６】
本発明は、上記の課題に鑑みてなされたものであり、その目的とするところは、電波通信による不都合を解消する通信システムと通信方法を提供することにある。
【課題を解決するための手段】
【０００７】
上記の課題を解決するために、請求項１の本発明は、端末からの他の端末の呼び出し要求を受信し、この呼び出し要求に応じた波形の電圧を電極を介して人体に印加するトランシーバと、前記人体を介して前記呼び出し要求に応じた波形の電圧が印加されるアクセススポットと、このアクセススポットに印加された電圧により前記呼び出し要求を取得する交換機が出力した呼び出し信号に応じた波形の電圧が印加される他のアクセススポットと、この他のアクセススポットと他の人体とを介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記呼び出し信号として検出し、この検出した呼び出し信号を前記他の端末に送信するトランシーバとを備えたことを特徴とする通信システムをもって解決手段とする。
【０００８】
請求項２の本発明は、前記呼び出し要求に応じた波形の電圧が印加される前記アクセススポットに印加された電圧の波形に応じた電界を電気光学結晶に印加し、この電気光学結晶で光源からの光の偏光状態を変調し、この偏光変調光を強度変調光に変換し、この強度変調光の強度を前記呼び出し要求として検出し、この検出した呼び出し要求を前記交換機に送信するトランシーバ  を備えたことを特徴とする請求項１記載の通信システムをもって解決手段とする。
【０００９】
請求項３の本発明は、端末からの他の端末の呼び出し要求により交換機が出力した呼び出し信号に応じた波形の電圧が印加されるアクセススポットと、このアクセススポットと人体とを介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記呼び出し信号として検出し、この検出した呼び出し信号を前記他の端末に送信するトランシーバとを備えたことを特徴とする通信システムをもって解決手段とする。
【００１０】
請求項４の本発明は、呼び出し信号を送信された前記他の端末からの音声信号に応じた波形の電圧が前記アクセススポットに印加されたときの当該電圧の波形に応じた電界を電気光学結晶に印加し、この電気光学結晶で光源からの光の偏光状態を変調し、この偏光変調光を強度変調光に変換し、この強度変調光の強度の波形を当該音声信号として検出し、この検出した音声信号を前記交換機に送信するトランシーバを備えたことを特徴とする請求項３記載の通信システムをもって解決手段とする。
【００１１】
請求項５の本発明は、コンピュータからの他のコンピュータのアドレスを含むパケットを受信し、このパケットに応じた波形の電圧を電極を介して人体に印加するトランシーバと、前記人体を介して前記パケットに応じた波形の電圧が印加されるアクセススポットと、このアクセススポットと他の人体を介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記パケットとして検出し、この検出したパケットを前記他のコンピュータに送信するトランシーバとを備えたことを特徴とする通信システムをもって解決手段とする。
【００１２】
請求項６記載の本発明は、コンピュータからの他のコンピュータのアドレスを含むパケットを受信し、このパケットに応じた波形の電圧を電極を介して人体に印加するトランシーバと、前記人体を介して前記パケットに応じた波形の電圧が印加されるアクセススポットと、このアクセススポットに信号線で接続された他のアクセススポットと、この他のアクセススポットと他の人体を介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記パケットとして検出し、この検出したパケットを前記他のコンピュータに送信するトランシーバとを備えたことを特徴とする通信システムをもって解決手段とする。
【００１３】
請求項７記載の本発明は、コンピュータからの他のコンピュータのアドレスを含むパケットを受信したルータが中継した当該パケットに応じた波形の電圧が印加されるアクセススポットと、このアクセススポットと人体を介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記パケットとして検出し、この検出したパケットを前記他のコンピュータに送信するトランシーバとを備えたことを特徴とする通信システムをもって解決手段とする。
【００１４】
請求項８記載の本発明は、パケットを送信された前記他のコンピュータからのパケットに応じた波形の電圧が前記アクセススポットに印加されたときの当該電圧の波形に応じた電界を電気光学結晶に印加し、この電気光学結晶で光源からの光の偏光状態を変調し、この偏光変調光を強度変調光に変換し、この強度変調光の強度の波形を当該パケットとして検出し、この検出したパケットを前記ルータに送信するトランシーバを備えたことを特徴とする請求項７記載の通信システムをもって解決手段とする。
【００１５】
請求項９記載の本発明は、端末からの他の端末の呼び出し要求を受信し、この呼び出し要求に応じた波形の電圧を電極を介して人体に印加し、前記人体を介して前記呼び出し要求に応じた波形の電圧がアクセススポットに印加され、このアクセススポットに印加された電圧により前記呼び出し要求を取得する交換機が出力した呼び出し信号に応じた波形の電圧が他のアクセススポットに印加されたときに、この他のアクセススポットと他の人体とを介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記呼び出し信号として検出し、この検出した呼び出し信号を前記他の端末に送信することを特徴とする通信方法をもって解決手段とする。
【００１６】
請求項１０記載の本発明は、前記呼び出し要求に応じた波形の電圧が印加される前記アクセススポットに印加された電圧の波形に応じた電界を電気光学結晶に印加し、この電気光学結晶で光源からの光の偏光状態を変調し、この偏光変調光を強度変調光に変換し、この強度変調光の強度を前記呼び出し要求として検出し、この検出した呼び出し要求を前記交換機に送信することを特徴とする請求項９記載の通信方法をもって解決手段とする。
【００１７】
請求項１１記載の本発明は、端末からの他の端末の呼び出し要求により交換機が出力した呼び出し信号に応じた波形の電圧がアクセススポットに印加されたときに、このアクセススポットと人体とを介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記呼び出し信号として検出し、この検出した呼び出し信号を前記他の端末に送信することを特徴とする通信方法をもって解決手段とする。
【００１８】
請求項１２記載の本発明は、呼び出し信号を送信された前記他の端末からの音声信号に応じた波形の電圧が前記アクセススポットに印加されたときの当該電圧の波形に応じた電界を電気光学結晶に印加し、この電気光学結晶で光源からの光の偏光状態を変調し、この偏光変調光を強度変調光に変換し、この強度変調光の強度の波形を当該音声信号として検出し、この検出した音声信号を前記交換機に送信することを特徴とする請求項１１記載の通信方法をもって解決手段とする。
【００１９】
請求項１３記載の本発明は、コンピュータからの他のコンピュータのアドレスを含むパケットを受信し、このパケットに応じた波形の電圧を電極を介して人体に印加し、前記人体を介して前記パケットに応じた波形の電圧がアクセススポットに印加されたときに、このアクセススポットと他の人体を介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記パケットとして検出し、この検出したパケットを前記他のコンピュータに送信することを特徴とする通信方法をもって解決手段とする。
【００２０】
請求項１４記載の本発明は、コンピュータからの他のコンピュータのアドレスを含むパケットを受信し、このパケットに応じた波形の電圧を電極を介して人体に印加し、前記人体を介して前記パケットに応じた波形の電圧がアクセススポットに印加されたときに、このアクセススポットに信号線で接続された他のアクセススポットと他の人体を介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記パケットとして検出し、この検出したパケットを前記他のコンピュータに送信することを特徴とする通信方法をもって解決手段とする。
【００２１】
請求項１５記載の本発明は、コンピュータからの他のコンピュータのアドレスを含むパケットを受信したルータが中継した当該パケットに応じた波形の電圧がアクセススポットに印加されたときに、このアクセススポットと人体を介して電極に印加された電圧の波形に応じた電界を電気光学結晶に印加し、この電気光学結晶で光源からの光の偏光状態を変調し、この偏光変調光を強度変調光に変換し、この強度変調光の強度の波形を前記パケットとして検出し、この検出したパケットを前記他のコンピュータに送信することを特徴とする通信方法をもって解決手段とする。
【００２２】
請求項１６記載の本発明は、パケットを送信された前記他のコンピュータからのパケットに応じた波形の電圧が前記アクセススポットに印加されたときの当該電圧の波形に応じた電界を電気光学結晶に印加し、この電気光学結晶で光源からの光の偏光状態を変調し、この偏光変調光を強度変調光に変換し、この強度変調光の強度の波形を当該パケットとして検出し、この検出したパケットを前記ルータに送信することを特徴とする請求項１５記載の通信方法をもって解決手段とする。
【発明の効果】
【００２３】
本発明によれば、アクセススポットと人体とを介して電極に印加された電圧の波形に応じた電界を電気光学結晶に印加し、この電気光学結晶で光源からの光の偏光状態を変調し、この偏光変調光を強度変調光に変換し、この強度変調光の強度の波形を検出するので、電波による精密機器の誤動作、通信速度向上が困難なこと、そして、高度なアンテナ設計や多大な設備投資が必要となる、等の電波通信による不都合を解消することができる。
【発明を実施するための最良の形態】
【００２４】
以下、本発明の実施の形態を図面を参照して説明する。
【００２５】
[第１の実施の形態]
図１は、本発明の第１の実施の形態に係る通信システムの構成図である。
【００２６】
図１において、各端末１ａ，１ｂ，１ｃ，…にそれぞれトランシーバ２ａ，２ｂ，２ｃ，…が接続され、各ユーザＵａ，Ｕｂ，Ｕｃ，…は、各トランシーバ２ａ，２ｂ，２ｃ，…をそれぞれ保持している。また、大地グランドを構成する床の上の絶縁体ＩＳａ，ＩＳｂ，ＩＳｃ，…を介して、各ユーザＵａ，Ｕｂ，Ｕｃ，…用のアクセススポットＡＳａ，ＡＳｂ，ＡＳｃ，…がそれぞれ設けられ、各ユーザＵａ，Ｕｂ，Ｕｃ，…は、それぞれアクセススポットＡＳａ，ＡＳｂ，ＡＳｃ，…に足裏をついて乗っている。各アクセススポットＡＳａ，ＡＳｂ，ＡＳｃ，…は、大地グランドにグランド線Ｇを介して接続された交換機３に対し、信号線Ｓａ，Ｓｂ，Ｓｃ，…をそれぞれを介して接続され、交換機３は電話網４に接続されている。電話網４には固定電話端末４１が接続されている。また、電話網４には携帯電話端末４２が適宜無線で接続される。
【００２７】
各アクセススポット並びに以下の実施例で用いられるアクセススポットは、金属などの導電性を有する材料で形成された板であり、絶縁体で包まれていてもよい。
【００２８】
図２は、各トランシーバ２ａ，２ｂ，２ｃ，…の構成図である。
【００２９】
トランシーバ２ａ，２ｂ，２ｃ，…は、端末１ａ，１ｂ，１ｃ，…に接続された送信部２１および受信部２２、ならびに、これらに接続された送受信用電極２３を備える。受信部２２は、光源２２１と、この光源２２１からの光の偏光状態を変調する電気光学結晶２２２と、この偏光変調光を強度変調光に変換する偏光板２２３と、この強度変調光を検出する受光部２２４とを備える。
【００３０】
[第１の実施の形態の動作]
図１において、例えば、ユーザＵａが端末１ａでユーザＵｂを指定すると、端末１ａはトランシーバ２ａにユーザＵｂを指定した呼び出し要求を送信し、図２に示すトランシーバ２ａの送信部２１は、この呼び出し要求に応じた波形の電圧を送受信用電極２３を介して、図１のユーザＵａの人体に印加する。なお、人体に電圧を印加することで、人体近傍には電磁界が発生するが、電波として放射されて周囲に伝播することがない程微弱なものである。
【００３１】
これにより、アクセススポットＡＳａには呼び出し要求に応じた波形の電圧が印加される。
【００３２】
交換機３は、この波形により呼び出し要求を取得し、この要求により所定の呼び出し信号を生成し、この呼び出し信号に応じた波形の電圧を、指定されたユーザに応じたアクセススポットに、この場合はアクセススポットＡＳｂに印加する。
【００３３】
これにより、ユーザＵｂの人体には、呼び出し信号に応じた波形の電圧が印加される。  図２に示すトランシーバ２ｂの受信部２２では、アクセススポットＡＳｂとユーザＵｂの人体とを介して送受信用電極２３に印加された電圧の波形に応じた電界を電気光学結晶２２２に印加し、光源２２１が光を電気光学結晶２２２に入射し、偏光板２２３が電気光学結晶２２２からの光、つまり偏光変調光を強度変調光に変換し、受光部２２４がその強度変調光の強度の波形を呼び出し要求として検出し、この呼び出し要求を端末１ｂに送信する。これにより、端末１ｂが呼び出し音を鳴動させる。
【００３４】
なお、偏光板２２３の代わりに偏光ビームスプリッタを用いてもよい。これは、以下においても同様である。
【００３５】
さて、端末１ｂが呼び出し音を鳴動させたことにより、図１のユーザＵｂが端末１ｂで応答操作を行い、端末１ｂに対し発声すると、端末１ｂはその音声に対応した音声電気信号をトランシーバ２ｂに送信する。
【００３６】
図２に示すトランシーバ２ｂの送信部２１は、この音声電気信号を通信に適した別の通信用電気信号に変換し、その通信用電気信号に比例した電圧を、送受信用電極２３を介して、図１のユーザＵｂの人体に印加する。
【００３７】
これにより、アクセススポットＡＳｂにも、その通信用電気信号に比例した電圧が印加される。
【００３８】
交換機３は、この通信用電気信号を取得し、それに比例した波形の電圧をアクセススポットＡＳａに印加する。
【００３９】
これにより、ユーザＵａの人体には、通信用電気信号の波形に比例した電圧が印加される。
【００４０】
図２に示すトランシーバ２ａの受信部２２では、アクセススポットＡＳａとユーザＵａの人体とを介して送受信用電極２３に印加された電圧に応じた電界を電気光学結晶２２２に印加し、光源２２１が光を電気光学結晶２２２に入射し、偏光板２２３が電気光学結晶２２２からの偏光変調光を強度変調光に変換し、受光部２２４が強度変調光を通信用電気信号として検出し、音声電気信号に変換してから端末１ａに送信する。これにより、端末１ａが音声を再生する。
【００４１】
なお、図１のユーザＵａが端末１ａに対し発声した場合の動作は、信号の流れが逆になることを除いては、上記の動作と同様である。
【００４２】
このような動作による通話が終了し、例えば、ユーザＵｂが端末１ｂで切断操作を行うと、端末１ｂは切断要求をトランシーバ２ｂに送信する。図２の送信部２１は、この切断要求に応じた波形の電圧を、送受信用電極２３を介して、図１のユーザＵｂの人体に印加する。
【００４３】
これにより、アクセススポットＡＳｂには切断要求に応じた波形の電圧が印加される。  交換機３は、この波形により切断要求を取得し、これにより、次の呼び出し要求を待機するようになる。
【００４４】
図１において、例えば、固定電話端末４１や携帯電話端末４２でユーザＵｂが指定され、これにより、交換機３がユーザＵｂを指定する呼び出し要求を取得すると、交換機３は、この要求により呼び出し信号を生成し、この呼び出し信号に応じた波形の電圧をアクセススポットＡＳｂに印加する。
【００４５】
これにより、上記と同様の動作がなされ、端末１ｂが呼び出し音を鳴動させる。
【００４６】
また、ユーザＵｂが端末１ｂで応答操作を行い発声を行うと、上記と同様の動作がなされ、交換機３が通信用電気信号を取得すると、この信号は、電話網４を介して、固定電話端末４１や携帯電話端末４２に送信され、これらの端末が音声を再生する。
【００４７】
また、固定電話端末４１や携帯電話端末４２のユーザが、これらの端末に対し発声し、交換機３がこれらの音声に対応した通信用電気信号を取得すると、交換機３は、この信号に応じた波形の電圧をアクセススポットＡＳｂに印加する。
【００４８】
これにより、上記と同様の動作がなされ、端末１ｂが音声を再生する。
【００４９】
このような動作による通話が終了し、例えば、ユーザＵｂが端末１ｂで切断操作を行うと、上記と同様の動作がなされ、アクセススポットＡＳｂには切断要求に応じた波形の電圧が印加され、交換機３は、この波形により切断要求を取得し、これにより、次の呼び出し要求を待機するようになる。
【００５０】
このように、第１の実施の形態では、アクセススポット（ＡＰａなど）と人体とを介して電極（２３）に印加された電圧の波形に応じた電界を電気光学結晶（２２２）に印加し、この電気光学結晶で光源（２２１）からの光の偏光状態を変調し、この偏光変調光を強度変調光に変換し、この強度変調光の強度の波形を検出することで、電波によらない通信を行うようにしている。
【００５１】
[第２の実施の形態]
図３は、本発明の第２の実施の形態に係る通信システムの構成図である。
【００５２】
図３では、図１の通信システムで用いられた装置類に同一符号を付して説明を省略し、図１の通信システムとの差異を説明する。
【００５３】
大地グランドの上に絶縁体ＩＳａａ，ＩＳｂｂ，ＩＳｃｃ，…が設けられ、これら絶縁体ＩＳａａ，ＩＳｂｂ，ＩＳｃｃ，…と絶縁体ＩＳａ，ＩＳｂ，ＩＳｃ，…との間にそれぞれ、トランシーバ５ａ，５ｂ，５ｃ，…が設けられている。
【００５４】
図４は、各トランシーバ５ａ，５ｂ，５ｃ，…の構成図である。
【００５５】
各トランシーバ５ａ，５ｂ，５ｃ，…は、交換機３および各アクセススポットＡＳａ，ＡＳｂ，ＡＳｃ，…に接続された送信部５１および受信部５２を備える。受信部５２は、光源２２１と電気光学結晶２２２と偏光板２２３と受光部２２４とを備える。
【００５６】
[第２の実施の形態の動作１]
図３において、例えば、アクセススポットＡＳａに固定電話端末４１や携帯電話端末４２を指定する呼び出し要求や切断要求や音声信号に応じた波形の電圧が印加されると、図４のトランシーバ５ａの受信部５２では、アクセススポットＡＳａに印加された電圧の波形に応じた電界を電気光学結晶２２２に印加し、光源２２１が光を電気光学結晶２２２に入射し、偏光板２２３が電気光学結晶２２２から偏光変調光を強度変調光に変換し、受光部２２４が強度変調光を要求や通信用電気信号として検出し、この要求や信号を交換機３に送信する。
【００５７】
これにより、上記と同様の動作がなされ、交換機３が次の呼び出し要求を待機する、あるいは、図３の固定電話端末４１や携帯電話端末４２が呼び出し音を鳴動させる、あるいは音声を再生する。
【００５８】
また、交換機３は、端末１ｂを指定する呼び出し要求や切断要求や音声信号を取得すると、この要求や音声信号をトランシーバ５ｂに送信する。
【００５９】
図４のトランシーバ５ｂの送信部５１は、この要求や音声信号に応じた波形の電圧を、アクセススポットＡＳｂを介して、ユーザＵｂの人体に印加する。
【００６０】
これにより、上記と同様の動作がなされ、交換機３が次の呼び出し要求を待機する、あるいは、図３の端末１ｂが呼び出し音を鳴動させる、あるいは音声を再生する。
【００６１】
このように、第２の実施の形態では、トランシーバ（５ａなど）が光学的に要求や音声信号を検出して交換機に送信するので、端末のグランド電位と交換機のグランド電位とが異ならざるを得ないにも関わらず、交換機に雑音の少ない要求や音声信号を送信でき、よって、動作を安定させることができる。
【００６２】
[第３の実施の形態]
図５は、本発明の第３の実施の形態に係る通信システムの構成図である。
【００６３】
図５では、図１の通信システムで用いられた装置類に同一符号を付して説明を省略し、図１の通信システムとの差異を説明する。
【００６４】
大地グランドに対して絶縁体ＩＳを介して、各ユーザＵａ，Ｕｂ，Ｕｃ，…に共用されるアクセススポットＡＳが設けられている。アクセススポットＡＳは、大地グランドにグランド線Ｇで接続されたルータ７に対し信号線Ｓを介して接続され、ルータ７はインターネット８に接続されている。インターネット８にはコンピュータ８１が接続されている。  また、図５の通信システムは、１０Ｍｂｐｓ(bit per second)以上の速度での通信が可能であり、各端末１ａ，１ｂ，１ｃ，…はそれぞれＩＰ（Internet Protocol)アドレスＡＤａ，ＡＤｂ，ＡＤｃ，…を記憶している。また、コンピュータ８１はＩＰアドレスＡＤ８１を記憶している。なお、ＩＰアドレスに代えて、他の形式のアドレス（コンピュータ名を含む）を用いてもよい。
【００６５】
[第３の実施の形態の動作]
例えば、端末１ａを構成するコンピュータ（以下、符号１ａを流用し、他の端末を構成するコンピュータについても同様とする）がトランシーバ２ａにＩＰアドレスＡＤｂを含むパケットを送信すると、図２に示すトランシーバ２ａの送信部２１は、このパケットに応じた波形の電圧を送受信用電極２３を介して、図５のユーザＵａの人体に印加する。
【００６６】
これにより、アクセススポットＡＳにはパケットに応じた波形の電圧が印加され、そして、ユーザＵｂ，Ｕｃ，…の人体にもパケットに応じた波形の電圧が印加される。
【００６７】
図１に示すトランシーバ２ｂ，２ｃ，…の受信部２２では、アクセススポットＡＳとユーザＵｂ，Ｕｃ，…の人体とを介して送受信用電極２３に印加された電圧の波形に応じた電界を電気光学結晶２２２に印加し、光源２２１が光を電気光学結晶２２２に入射し、偏光板２２３が電気光学結晶２２２から偏光変調光を強度変調光に変換し、受光部２２４が強度変調光をパケットとして検出し、このパケットを端末１ｂ，１ｃ，…に送信する。端末１ｂ，１ｃ，…は、このパケットに含まれたＩＰアドレスを記憶していれば、そのパケットの内容に応じた処理を行う。つまり、ここでは端末１ｂだけが処理を行う。
【００６８】
また、アクセススポットＡＳに、パケットに応じた波形の電圧が印加されると、ルータ７は、この電圧の波形によりパケットを取得するが、この場合、ＩＰアドレスＡＤｂを含むパケットをインターネット８へルーチングすべきでないと判断し、そのパケットを破棄する。
【００６９】
なお、端末１ｂが、トランシーバ２ｂにＩＰアドレスＡＤａを含むパケットを送信した場合の動作は、端末１ａ，１ｂ間で信号の流れが逆になることを除いては、上記の動作と同様である。
【００７０】
また、端末１ａが、トランシーバ２ａの送信部２１にＩＰアドレスＡＤ８１を含むパケットを送信した場合は、アクセススポットＡＳにパケットに応じた波形の電圧が印加され、ルータ７は、この電圧の波形によりパケットを取得するが、この場合、ＩＰアドレスＡＤ８１を含むパケットをインターネット８へルーチングすべきと判断し、そのパケットをインターネット８へルーチングする。これにより、コンピュータ８１はパケットを受信し、そのパケットの内容に応じた処理を行う。
【００７１】
また、コンピュータ８１がＩＰアドレスＡＤａを含むパケットを送信し、このパケットをルータ７が受信すると、ルータ７は、ＩＰアドレスＡＤａを含むパケットを中継すべきと判断し、そのパケットに応じた波形の電圧をアクセススポットＡＳに印加する。
【００７２】
これにより、上記と同様の動作がなされ、端末１ａだけがパケットの内容に応じた処理を行う。
【００７３】
なお、図６に示すように、信号線Ｓに、ＤＨＣＰサーバ７１を接続し、このＤＨＣＰサーバ７１が、ＩＰアドレスを記憶していない各端末１ａ，１ｂ，１ｃ，…にそれぞれＩＰアドレスＡＤａ，ＡＤｂ，ＡＤｃ，…を送信し、これを各端末が記憶するようにしてもよい。
【００７４】
このように、第３の実施の形態では、アクセススポット（ＡＰ）と人体とを介して電極（２３）に印加された電圧の波形に応じた電界を電気光学結晶（２２２）に印加し、この電気光学結晶で光源（２２１）からの光の偏光状態を変調し、この偏光変調光を強度変調光に変換し、この強度変調光の強度の波形を検出することで、電波によらない通信を行うようにしている。
【００７５】
なお、アクセススポットＡＳおよび絶縁体ＩＳは必ずしも各ユーザに共通である必要はなく、図７に示すように分割し、各アクセススポットＡＳに信号線Ｓを接続した構成を採用してもよい。
【００７６】
[第４の実施の形態]
図８は、本発明の第４の実施の形態に係る通信システムの構成を示す図である。
【００７７】
図８では、図５の通信システムで用いられた装置類に同一符号を付して説明を省略し、図５の通信システムとの差異を説明する。
【００７８】
大地グランドの上に絶縁体ＩＳＳが設けられ、この絶縁体ＩＳＳと絶縁体ＩＳとの間にトランシーバ５０が設けられている。
【００７９】
図９は、トランシーバ５０の構成図である。
【００８０】
トランシーバ５０は、ルータ７およびアクセススポットＡＳに接続された送信部５０１および受信部５０２を備える。受信部５０２は、光源２２１と電気光学結晶２２２と偏光板２２３と受光部２２４とを備える。
【００８１】
[第４の実施の形態の動作]
図８において、例えば、アクセススポットＡＳにコンピュータ８１のＩＰアドレスＡＤ８１を含むパケットに応じた波形の電圧が印加されると、図９に示すトランシーバ５０の受信部５０２は、アクセススポットＡＳに印加された電圧の波形に応じた電界を電気光学結晶２２２に印加し、光源２２１が光を電気光学結晶２２２に入射し、偏光板２２３が電気光学結晶２２２からの偏光変調光を強度変調光に変換し、受光部２２４がその強度変調光の強度の波形をパケットとして検出し、このパケットをルータ７に送信する。
【００８２】
これにより、上記と同様の動作がなされ、図８のコンピュータ８１がパケットに応じた処理を行う。
【００８３】
また、コンピュータ８１がＩＰアドレスＡＤａを含むパケットを送信し、このパケットをルータ７が受信すると、ルータ７は、ＩＰアドレスＡＤａを含むパケットを中継すべきと判断し、そのパケットをトランシーバ５０に送信する。
【００８４】
図９に示すトランシーバ５０の送信部５０１は、このパケットに応じた波形の電圧をアクセススポットＡＳに印加する。これにより、上記と同様の動作がなされ、端末１ａだけがパケットに応じた処理を行う。
【００８５】
このように、第４の実施の形態によれば、トランシーバ（５１）が光学的にパケットを検出してルータに送信するので、端末のグランド電位とルータのグランド電位とが異ならざるを得ないにも関わらず、ルータに雑音の少ないパケットを送信でき、よって、動作を安定させることができる。
【００８６】
なお、アクセススポットＡＳ、絶縁体ＩＳ、トランシーバ５１および絶縁体ＩＳＳは必ずしも各ユーザに共通である必要はなく、図１０に示すように分割し、各アクセススポットＡＳをこれに対応するトランシーバ５１に接続し、各トランシーバ５１に信号線Ｓを接続した構成を採用してもよい。
【００８７】
また、信号線Ｓに、ＤＨＣＰサーバ７１を接続し、このＤＨＣＰサーバ７１が、ＩＰアドレスを記憶していない各端末１ａ，１ｂ，１ｃ，…にそれぞれＩＰアドレスＡＤａ，ＡＤｂ，ＡＤｃ，…を送信し、これを各端末が記憶するようにしてもよい。
【００８８】
また、アクセススポットは、ユーザの人体に対し電圧を印加し、あるいは人体から電圧を印加されるものであるから、床などの上にアクセススポットを設けるのでなく、金属の手すり等をアクセススポットとしてもよく、そして、この金属は誘電体などで覆われていてもよい。
【００８９】
また、上記した各端末は、上記のように人体を介した通信と電波通信とを選択可能に構成してもよい。
【００９０】
以上説明したように、本発明の実施の形態に係る通信システムと通信方法によれば、アクセススポットと人体とを介して電極に印加された電圧の波形に応じた電界を電気光学結晶に印加し、この電気光学結晶で光源からの光の偏光状態を変調し、この偏光変調光を強度変調光に変換し、この強度変調光の強度の波形を検出するので、電波による精密機器の誤動作、通信速度向上が困難なこと、そして、高度なアンテナ設計や多大な設備投資が必要となる、等の電波通信による不都合を解消することができる。
【図面の簡単な説明】
【００９１】
【図１】本発明の第１の実施の形態に係る通信システムの構成図である。
【図２】各トランシーバ２ａ，２ｂ，２ｃ，…の構成図である。
【図３】本発明の第２の実施の形態に係る通信システムの構成図である。
【図４】トランシーバ５ａ，５ｂ，５ｃ，…の構成図である。
【図５】本発明の第３の実施の形態に係る通信システムの構成図である。
【図６】図５において、接続線ＳにＤＨＣＰサーバ７１を接続した場合の構成図である。
【図７】本発明の第３の実施の形態に係る他の通信システムの構成図である。
【図８】本発明の第４の実施の形態に係る通信システムの構成を示す図である。
【図９】トランシーバ５０の構成図である。
【図１０】本発明の第４の実施の形態に係る他の通信システムの構成を示す図である。
【符号の説明】
【００９２】
ＡＤａ，ＡＤｂ，ＡＤｃ，ＡＤ８１  ＩＰアドレス
ＡＳａ，ＡＳｂ，ＡＳｃ，ＡＳ  アクセススポット
Ｕａ，Ｕｂ，Ｕｃ  ユーザ
１ａ，１ｂ，１ｃ  端末
２ａ，２ｂ，２ｃ，５ａ，５ｂ，５ｃ，５０  トランシーバ
３  交換機
４  電話網
７  ルータ
８  インターネット
２１，５１  送信部
２２，５２  受信部
２３  送受信用電極
４１  固定電話端末
４２  携帯電話端末
８１  コンピュータ
２２１  光源
２２２  電気光学結晶
２２３  偏光板
２２４  受光部
５０１  送信部
５０２  受信部
【図１】
2006191361.tif 000003
【図２】
2006191361.tif 000004
【図３】
2006191361.tif 000005
【図４】
2006191361.tif 000006
【図５】
2006191361.tif 000007
【図６】
2006191361.tif 000008
【図７】
2006191361.tif 000009
【図８】
2006191361.tif 000010
【図９】
2006191361.tif 000011
【図１０】
2006191361.tif 000012